(57)【要約】      （修正有）【課題】安定感と外観や質感を高めた陶磁器を提供する。【解決手段】椀１２の部分を陶器または磁器により構成し、糸尻１４の部分を陶器または磁器よりも比重が重く、表面を滑らかな光沢を持つあるいは装飾模様を施した金属で構成し、重心を下げる。口縁１６、蓋２０、持ち手１８の部分を糸尻１４と同様の金属で構成する。【選択図】図１
0003168881.tif 000002
【実用新案登録請求の範囲】
【請求項１】
椀１２の部分を陶器または磁器により構成し、糸尻１４の部分を陶器または磁器よりも比重が重く、表面を滑らかな光沢を持つあるいは装飾模様を施した金属で構成したことを特徴とする陶磁器。
【請求項２】
請求項１に記載の陶磁器において、
椀１２の口縁１６の部分を糸尻１４と同様の金属で構成したことを特徴とする陶磁器。
【請求項３】
請求項２に記載の陶磁器において、
椀１２の蓋２０の部分を口縁１６と同様の金属で構成したことを特徴とする陶磁器。
【請求項４】
請求項１乃至３のいずれかに記載の陶磁器において、
椀１２の持ち手１８の部分を糸尻１４と同様の金属で構成したことを特徴とする陶磁器。
【請求項５】
請求項１乃至４のいずれかに記載の陶磁器において、
椀１２の注ぎ口２１の部分を糸尻１４と同様の金属で構成したことを特徴とする陶磁器。
【請求項６】
請求項１乃至５のいずれかに記載の陶磁器において、
椀１２に単数または複数の凹陥部または凸部を形成して、金属部分と嵌め合わせ、その嵌め合わせた部分を接着材で固着したことを特徴とする陶磁器。
【考案の詳細な説明】
【技術分野】
【０００１】
本考案は、安定感と外観や質感を向上させた陶磁器に関する。
【背景技術】
【０００２】
陶磁器は、その使いやすさや質感から、花器、食器、茶道具その他、多岐にわたって広く利用されている。そして、着色や模様、あるいは多様なデザインにより、ユーザを引き付ける工夫がされている。しかしながら、衝撃に弱く、割れやすいという欠点もある。そこで、破損防止のための工夫もなされている（特許文献１参照）（特許文献２参照）。
【先行技術文献】
【特許文献】
【０００３】
【特許文献１】特開２００５−３１４２０３号公報
【特許文献２】特開２００７−２６８１１９号公報
【考案の概要】
【考案が解決しようとする課題】
【０００４】
既知の従来の技術には、次のような解決すべき課題があった。
強度を高めるために、デザイン性が失われたり、質感が低下したりすることがある。趣味的に使用される陶磁器も多いことから、強度を高めるとともに、外観や質感も向上させるような工夫が求められている。
上記の課題を解決するために、本考案は、陶磁器よりも比重の重い金属を複合的に使用して、安定感と外観や質感を高めた次のような陶磁器を提供することを目的とする。
【課題を解決するための手段】
【０００５】
以下の構成はそれぞれ上記の課題を解決するための手段である。
〈構成１〉
椀１２の部分を陶器または磁器により構成し、糸尻１４の部分を陶器または磁器よりも比重が重く、表面を滑らかな光沢を持つあるいは装飾模様を施した金属で構成したことを特徴とする陶磁器。
【０００６】
〈構成２〉
構成１に記載の陶磁器において、椀１２の口縁１６の部分を糸尻１４と同様の金属で構成したことを特徴とする陶磁器。
【０００７】
〈構成３〉
構成２に記載の陶磁器において、椀１２の蓋２０の部分を口縁１６と同様の金属で構成したことを特徴とする陶磁器。
【０００８】
〈構成４〉
構成１乃至３のいずれかに記載の陶磁器において、椀１２の持ち手１８の部分を糸尻１４と同様の金属で構成したことを特徴とする陶磁器。
【０００９】
〈構成５〉
構成１乃至４のいずれかに記載の陶磁器において、椀１２の注ぎ口２１の部分を糸尻１４と同様の金属で構成したことを特徴とする陶磁器。
【００１０】
〈構成６〉
構成１乃至５のいずれかに記載の陶磁器において、椀１２に単数または複数の凹陥部または凸部を形成して、金属部分と嵌め合わせ、その嵌め合わせた部分を接着材で固着したことを特徴とする陶磁器。
【考案の効果】
【００１１】
〈構成１の効果〉
一般に、椀１２と糸尻１４の連結部分や糸尻１４の部分に欠けや割れが生じやすい。糸尻１４の部分を金属にして全体の強度を高めた。さらに、陶器や磁器よりも比重が重い金属を用いて、重心を下げ、安定感を高めた。また、滑らかな光沢を持つあるいは装飾模様を施した金属を使用することにより、質感や美観を高めることができる。
〈構成２の効果〉
口縁１６の部分も、陶器や磁器では欠けや割れを生じやすい。ここを金属で補強し、同時に質感や美観を高めることができる。
〈構成３の効果〉
頻繁に被せたり外したりする蓋２０の部分を口縁１６と共に金属にして、強度を高め、使用時の安心感を得ることができる。
〈構成４の効果〉
使用時に最も力のかかる持ち手１８の部分を金属にして、強度を高め、装飾の自由度も増やすことができる。
〈構成５の効果〉
他の部分と比較したときに構造が複雑な部分を金属にして、全体としての強度を高めることができる。
〈構成６の効果〉
椀１２と金属部分との連結部分の強度を高めることができる。
【図面の簡単な説明】
【００１２】
【図１】実施例１の各種の陶磁器１０を示す側面図である。
【図２】煎茶を入れるときに使用する湯さましの斜視図である。
【図３】実施例６の陶磁器１０を示す分解斜視図である。
【考案を実施するための形態】
【００１３】
以下、本考案の実施の形態を実施例毎に詳細に説明する。
【実施例１】
【００１４】
図１は実施例１の各種の陶磁器１０を示す側面図である。
図１（ａ）の陶磁器１０は、椀１２の部分を陶器または磁器により構成し、糸尻１４の部分を金属で構成した。糸尻１４の金属は、陶器または磁器よりも比重が重い、例えば、チタンあるいはチタン合金を切削加工したものを使用する。その表面は、例えば、滑らかな光沢加工処理をする。また、多数の微細な凹凸をもうけたり、装飾模様を施したものでもよい。
【００１５】
糸尻１４の部分をこのような金属にすると、衝撃による欠けや割れを防止できる。さらに、陶器や磁器よりも比重が重い金属を用いると、陶磁器１０全体の重心が低くなる。しかも、陶器や磁器と比べて、糸尻１４の部分のテーブル面と接する面を高い精度で平坦にすることができるので、テーブル面に密着し、より安定感が増す。図１（ａ）のような背の高い陶磁器１０でも、簡単に倒れないという効果がある。
【００１６】
しかも、全体に重量があり、糸尻１４の部分の金属に装飾的な効果があると、陶磁器１０全体が高級感を増す。主要な椀１２の部分は陶器や磁器のままでよいから、陶器や磁器の質感を重んじる花器、食器、茶器等に使用して、違和感が無い。また、純和風の従来のものと比較したとき、新たなジャンルの道具として採用することもできる。
【実施例２】
【００１７】
図１（ｂ）は、椀１２の口縁１６の部分を、上記の糸尻１４と同様の金属で構成したものである。陶磁器１０が破損する最も大きな原因は、この口縁１６の部分の欠けである。ここに糸尻１４と同様の金属を使用することで、陶磁器１０を補強することができる。同時に、糸尻１４と同一の金属で、陶磁器全体として統一を図ると、質感や美観を高め、高級感を増すという効果もある。
【実施例３】
【００１８】
図１（ｃ）は、椀１２の持ち手１８の部分を糸尻１４と同様の金属で構成したものである。椀１２の持ち手１８は複雑な構造をしている。また、使用時に最も力がかかる。この部分を金属にして、強度を高めた。さらに、持ち手１８の部分を金属にすると、様々な装飾を施すことができ、デザインの自由度が増すという効果もある。
【実施例４】
【００１９】
図１（ｄ）は、椀１２の蓋２０の部分を実施例２の口縁１６の部分と同様の金属で構成したものである。蓋２０の部分は、使用時に椀１２の上に乗せたり外したりする。そこで、口縁１６の部分を金属にするとともに、椀１２の蓋２０の部分も金属にした。これにより、強度を高め、使用時の安心感を得ることができる。さらに、陶器や磁器の蓋とは異なる質感があり、高級感を高めることができる。
【実施例５】
【００２０】
図２は、煎茶を入れるときに使用する湯さましの斜視図である。
図のような湯さましも、テーブルにおいたときの安定感を増すために、糸尻１４の部分に上記のような金属を使用した。さらに、湯さましは、椀１２の注ぎ口２１の部分が、他の部分と比較して複雑な形状をしている。この部分を糸尻１４と同様の金属で構成した。これにより、椀１２の部分の製造が容易になる。また、全体としての強度を高めることができる。さらに、注ぎ口２１の部分に自由な装飾を施すことができるという効果もある。
【実施例６】
【００２１】
図３は実施例６の陶磁器１０を示す分解斜視図である。
図の椀１２は、陶器または磁器で構成されている。この椀１２の糸尻１４を連結する部分には、一個の凸部２４が設けられている。一方、金属製の糸尻１４には、椀１２と連結する部分に凹陥部２２が設けられている。上記の凸部２４と凹陥部２２とは互いに嵌り合うように採寸されている。椀１２の凸部２４と糸尻１４の凹陥部２２とを嵌め合わせて、その嵌め合わせた部分を接着材で固着すると、椀１２と糸尻１４とを強固に連結することができる。なお、凸部２４と凹陥部２２とは、椀１２側と糸尻１４側のどちらに設けてもよい。
【００２２】
椀１２と糸尻１４の接続のみに限定されない。実施例６は、上記の実施例１〜の口縁１６、持ち手１８、蓋２０、注ぎ口２１のいずれについても組み合わせて利用できる。即ち、これらは同様の方法で椀１２に固定することができる。また、上記の実施例はそれぞれ相互に自由に組み合わせて利用することができる。
【符号の説明】
【００２３】
１０  陶磁器
１２  椀
１４  糸尻
１６  口縁
１８  持ち手
２０  蓋
２１  注ぎ口
２２  凹陥部
２４  凸部
【図１】
0003168881.tif 000003
【図２】
0003168881.tif 000004
【図３】
0003168881.tif 000005